(57)【要約】【課題】モノクロかフルカラーか、このフルカラーよりも色数の少ない他のカラーかを自動的に、より正確に判別できる画像読取装置を提供するものである。【解決手段】読取った原稿を、カラー原稿とモノクロ原稿とを自動判別できる画像読取装置において、原稿判別の際に、彩度Cbと彩度Crとの関係で、読取った画素が予め定めた領域に有るか無いかで、有彩色の画素か無彩色の画素かの判別を行い、有彩色の画素と判別された場合、カラー、赤、青と判別された画素数を夫々カウントし、これらのカウント数によってフルカラー原稿か、このフルカラー原稿より色数の少ない他のカラー原稿（赤青黒原稿）か、モノクロ原稿かを判別する判別装置を備えたので、３種類以上の原稿を自動的に、より正確に判別することができる。【選択図】      図１０
2008153723.tif 000002
【特許請求の範囲】
【請求項１】
読取った原稿を、カラー原稿とモノクロ原稿との２種類に自動判別できる画像読取装置において、原稿の判別の際に、彩度Cbと彩度Crとの関係で、読取った画素が予め定めた領域に有るか無いかで、有彩色の画素か無彩色の画素かの判別を行い、有彩色の画素と判別された場合、カラー、赤、青と判別された画素数を夫々カウントし、これらのカウント数によってフルカラー原稿か、このフルカラー原稿より色数の少ない他のカラー原稿か、モノクロ原稿かを判別する判別装置を備えたことを特徴とする画像読取装置。
【請求項２】
読取った原稿を、カラー原稿とモノクロ原稿との２種類に自動判別できる画像読取装置において、原稿の判別の際に、輝度Yと彩度Cbとの関係、及び輝度Yと彩度Crとの関係で、読取った画素が予め定めた領域に有るか無いかで、有彩色の画素か無彩色の画素かの判別を行い、有彩色の画素と判別された場合、カラー、赤、青と判別された画素数を夫々カウントし、これらのカウント数によってフルカラー原稿か、このフルカラー原稿より色数の少ない他のカラー原稿か、モノクロ原稿かを判別する判別装置を備えたことを特徴とする画像読取装置。
【請求項３】
読取った原稿を、カラー原稿とモノクロ原稿との２種類に自動判別できる画像読取装置において、原稿の判別の際に、彩度Cbと彩度Crとの関係で、読取った画素が予め定めた領域に有るか無いかで、有彩色の画素か無彩色の画素かの判別を行い、有彩色の画素と判別された場合、カラー、シアン、マゼンタ、イエローと判別された画素数を夫々カウントして、これらのカウント数によってフルカラー原稿か、このフルカラー原稿より色数の少ない他のカラー原稿か、モノクロ原稿かを判別する判別装置を備えたことを特徴とする画像読取装置。
【請求項４】
読取った原稿を、カラー原稿とモノクロ原稿との２種類に自動判別できる画像読取装置において、原稿の判別の際に、輝度Yと彩度Cbとの関係、及び輝度Yと彩度Crとの関係で、読取った画素が予め定めた領域に有るか無いかで、有彩色の画素か無彩色の画素かの判別を行い、有彩色の画素と判別された場合、カラー、シアン、マゼンタ、イエローと判別された画素数を夫々カウントして、これらのカウント数によってフルカラー原稿か、このフルカラー原稿より色数の少ない他のカラー原稿か、モノクロ原稿かを判別する判別装置を備えたことを特徴とする画像読取装置。
【請求項５】
請求項１乃至４の何れかの画像読取装置を複写機やファクシミリ装置やイメージスキャナなどに備えたことを特徴とする電子装置。
【請求項６】
請求項１又は請求項２に記載の画像読取装置をイメージスキャナやカラー送信可能なファクシミリ装置などに備えたことを特徴とする電子装置。
【請求項７】
請求項３又は請求項４に記載の画像読取装置を複写機やカラー印刷可能なファクシミリ装置などに備えたことを特徴とする電子装置。
【請求項８】
読取った原稿を、カラー原稿とモノクロ原稿との２種類に自動判別できる画像読取方法において、原稿の判別の際に、最初に、彩度Cbと彩度Crとの関係で、読取った画素が予め定めた領域内に有るか無いかで、有彩色の画素か無彩色の画素かの判別を行い、次に、有彩色の画素と判別された場合、カラー、赤、青と判別された画素数を夫々カウントし、これらのカウント数によってフルカラー原稿か、このフルカラー原稿より色数の少ない他のカラー原稿か、モノクロ原稿かを判別し、３種類の原稿を自動判別できるようにしたことを特徴とする画像読取方法。
【請求項９】
読取った原稿を、カラー原稿とモノクロ原稿との２種類に自動判別できる画像読取方法において、原稿の判別の際に、最初に、彩度Cbと彩度Crとの関係で、読取った画素が予め定めた領域内に有るか無いかで、有彩色の画素か無彩色の画素かの判別を行い、次に、有彩色の画素と判別された場合、カラー、シアン、マゼンタ、イエローと判別された画素数を夫々カウントして、これらのカウント数によって、フルカラー原稿か、このフルカラー原稿より色数の少ない他のカラー原稿か、モノクロ原稿かを判別し、３種類以上の原稿を自動判別できるようにしたことを特徴とする画像読取方法。
【請求項１０】
読取った原稿を、カラー原稿とモノクロ原稿との２種類に自動判別できる画像読取方法において、原稿の判別の際に、最初に、輝度Yと彩度Cbとの関係、及び輝度Yと彩度Crとの関係で、読取った画素が予め定めた領域に有るか無いかで、有彩色の画素か無彩色の画素かの判別を行い、次に、有彩色の画素と判別された場合、カラー、赤、青と判別された画素数を夫々カウントし、これらのカウント数によって、フルカラー原稿か、このフルカラー原稿より色数の少ない他のカラー原稿か、モノクロ原稿かを判別し、３種類の原稿を自動判別できるようにしたことを特徴とする画像読取方法。
【請求項１１】
読取った画像の原稿を、カラー原稿とモノクロ原稿との２種類に自動判別できる画像読取方法において、原稿の判別の際に、最初に、輝度Yと彩度Cbとの関係、及び輝度Yと彩度Crとの関係で、読取った画素が予め定めた領域に有るか無いかで、有彩色の画素か無彩色の画素かの判別を行い、次に、有彩色の画素と判別された場合、カラー、シアン、マゼンタ、イエローと判別された画素数を夫々カウントして、これらのカウント数によって、フルカラー原稿か、このフルカラー原稿より色数の少ない他のカラー原稿か、モノクロ原稿かを判別し、３種類以上の原稿を自動判別できるようにしたことを特徴とする画像読取方法。
【発明の詳細な説明】
【技術分野】
【０００１】
この発明は、画像読取装置や、この画像読取装置を備えた複写機やファクシミリ装置やイメージスキャナなどの電子装置や、画像読取方法に関し、特にモノクロとカラーとを自動判別でき、更に、カラーの場合、フルカラーか、フルカラーより色数の少ない他のカラーかを自動判別できるようにした画像読取装置や、この画像読取装置を備えた電子装置や、画像読取方法に関する。
【背景技術】
【０００２】
近年、複写機、ファクシミリ装置、イメージスキャナなど、画像を読取る電子装置にはカラー画像を対象とするものが開発されており、その中にはユーザの操作の手間を省くために、自動的に、原稿がモノクロ原稿であるかカラー原稿であるかを判別する自動カラー判別機能を持つ画像処理装置が開発されている。
【０００３】
カラー判別の方法としては、原稿の彩度を計算する方法などが用いられており、例えば、特開平６−３５０８６１号公報に開示されているように、イメージスキャナなどで読取った画像の各画素の３原色データを色相、彩度、明度に変換し、カラー画像かモノクロ画像かを判別する発明が提案されている。
【０００４】
また、特開２００２−２４８２５号公報に開示されているように、色成分の分布を解析することによって、色成分の特徴量を求め、単色濃淡画像（例えば、セピア調の画像）をモノクロ画像として分類ができる機能を有する発明もある。
【０００５】
また、特開平５−２８４３７２号公報に開示されているように、彩度情報の平均化を行い、色数をカウントすることで、下地に単一の色のついた原稿をモノクロ原稿として判別する機能を有する発明もある。
【０００６】
更に、特開平１０−２９０３６３号公報には、原稿の画像種類をモノクロ、フルカラー、赤黒原稿の３種類に自動判別する発明が提案されており、特開平５−３１６３７７号公報には、カラー原稿、モノクロ原稿、マーカーで印の付けられたマーカー原稿の３種類の原稿を自動判別することができる発明が記載されている。
【０００７】
【特許文献１】特開平６−３５０８６１号公報
【特許文献２】特開２００２−２４８２５号公報
【特許文献３】特開平５−２８４３７２号公報
【特許文献４】特開平１０−２９０３６３号公報
【特許文献５】特開平５−３１６３７７号公報
【発明の開示】
【発明が解決しようとする課題】
【０００８】
前述した前者の３件の公報（特開平６−３５０８６１号公報、特開２００２−２４８２５号公報、特開平５−２８４３７２号公報）に記載のものは、そのいずれの発明も原稿がカラーであるかモノクロであるかの２種類の判別を行うことしかできず、カラーとモノク以外の多様な画像形式を自動的に判別できるものではなかった。
【０００９】
これに対し、後者の２件の公報（特開平１０−２９０３６３号公報、特開平５−３１６３７７号公報）に記載のものは、３種類の原稿を自動判別できるものであるが、特開平１０−２９０３６３号公報に記載のものは、赤黒の色を使用した原稿しか判別できず、赤青黒の色を使用した赤青黒原稿などの判別はできないという欠点がある。
【００１０】
また、特開平５−３１６３７７号公報に記載のものは、指定色で指定されたマーカー領域を判別しているもので、その領域外に指定色で記載された場合は、正しく判別できず、また、マーカー領域内でも指定色外の色のマーカーで記載された場合も、正しく判別できない恐れがある。
【００１１】
このように、３種類の原稿に対する判別を自動的に実行できた場合でも、判別できる原稿に制限があったり、正しく判別できない恐れがあったりするため、ユーザの煩雑さはまだ残ったままであった。
【００１２】
本発明は、前記課題を解決するためのものであって、モノクロかフルカラーか、このフルカラーよりも色数の少ないカラーかを自動的に、より正確に判別できる画像読取装置や、この画像読取装置を使用した電子装置や、画像読取方法を提供するものである。
【課題を解決するための手段】
【００１３】
本発明の請求項１に記載の発明は、読取った原稿を、カラー原稿とモノクロ原稿との２種類に自動判別できる画像読取装置において、原稿の判別の際に、彩度Cbと彩度Crとの関係で、読取った画素が予め定めた領域に有るか無いかで、有彩色の画素か無彩色の画素かの判別を行い、有彩色の画素と判別された場合、カラー、赤、青と判別された画素数を夫々カウントし、これらのカウント数によってフルカラー原稿か、このフルカラー原稿より色数の少ない他のカラー原稿か、モノクロ原稿かを判別する判別装置を備えたものである。
【００１４】
本発明の請求項２に記載の発明は、画像読取装置において、原稿の判別の際に、輝度Yと彩度Cbとの関係、及び輝度Yと彩度Crとの関係で、読取った画素が予め定めた領域に有るか無いかで、有彩色の画素か無彩色の画素かの判別を行い、有彩色の画素と判別された場合、カラー、赤、青と判別された画素数を夫々カウントし、これらのカウント数によってフルカラー原稿か、このフルカラー原稿より色数の少ない他のカラー原稿か、モノクロ原稿かを判別する判別装置を備えたものである。
【００１５】
本発明の請求項３に記載の発明は、画像読取装置において、原稿の判別の際に、彩度Cbと彩度Crとの関係で、読取った画素が予め定めた領域に有るか無いかで、有彩色の画素か無彩色の画素かの判別を行い、有彩色の画素と判別された場合、カラー、シアン、マゼンタ、イエローと判別された画素数を夫々カウントして、これらのカウント数によってフルカラー原稿か、このフルカラー原稿より色数の少ない他のカラー原稿か、モノクロ原稿かを判別する判別装置を備えたものである。
【００１６】
本発明の請求項４に記載の発明は、画像読取装置において、原稿の判別の際に、輝度Yと彩度Cbとの関係、及び輝度Yと彩度Crとの関係で、読取った画素が予め定めた領域に有るか無いかで、有彩色の画素か無彩色の画素かの判別を行い、有彩色の画素と判別された場合、カラー、シアン、マゼンタ、イエローと判別された画素数を夫々カウントして、これらのカウント数によってフルカラー原稿か、このフルカラー原稿より色数の少ない他のカラー原稿か、モノクロ原稿かを判別する判別装置を備えたものである。
【００１７】
本発明の請求項５に記載の発明は、請求項１乃至４の何れかの画像読取装置を複写機やファクシミリ装置やイメージスキャナなどに備えて電子装置を構成したものである。
【００１８】
本発明の請求項６に記載の発明は、請求項１又は請求項２に記載の画像読取装置をイメージスキャナやカラー送信可能なファクシミリ装置などに備えて電子装置を構成したものである。
【００１９】
本発明の請求項７に記載の発明は、請求項３又は請求項４に記載の画像読取装置を複写機やカラー印刷可能なファクシミリ装置などに備えて電子装置を構成したものである。
【００２０】
本発明の請求項８に記載の発明は、読取った原稿を、カラー原稿とモノクロ原稿との２種類に自動判別できる画像読取方法において、原稿の判別の際に、最初に、彩度Cbと彩度Crとの関係で、読取った画素が予め定めた領域内に有るか無いかで、有彩色の画素か無彩色の画素かの判別を行い、次に、有彩色の画素と判別された場合、カラー、赤、青と判別された画素数を夫々カウントし、これらのカウント数によってフルカラー原稿か、このフルカラー原稿より色数の少ない他のカラー原稿か、モノクロ原稿かを判別し、３種類の原稿を自動判別できるようにしたものである。
【００２１】
本発明の請求項９に記載の発明は、画像読取方法において、原稿の判別の際に、最初に、彩度Cbと彩度Crとの関係で、読取った画素が予め定めた領域内に有るか無いかで、有彩色の画素か無彩色の画素かの判別を行い、次に、有彩色の画素と判別された場合、カラー、シアン、マゼンタ、イエローと判別された画素数を夫々カウントして、これらのカウント数によって、フルカラー原稿か、このフルカラー原稿より色数の少ない他のカラー原稿か、モノクロ原稿かを判別し、３種類以上の原稿を自動判別できるようにしたものである。
【００２２】
本発明の請求項１０に記載の発明は、画像読取方法において、原稿の判別の際に、最初に、輝度Yと彩度Cbとの関係、及び輝度Yと彩度Crとの関係で、読取った画素が予め定めた領域に有るか無いかで、有彩色の画素か無彩色の画素かの判別を行い、次に、有彩色の画素と判別された場合、カラー、赤、青と判別された画素数を夫々カウントし、これらのカウント数によって、フルカラー原稿か、このフルカラー原稿より色数の少ない他のカラー原稿か、モノクロ原稿かを判別し、３種類の原稿を自動判別できるようにしたものである。
【００２３】
本発明の請求項１１に記載の発明は、画像読取方法において、原稿の判別の際に、最初に、輝度Yと彩度Cbとの関係、及び輝度Yと彩度Crとの関係で、読取った画素が予め定めた領域に有るか無いかで、有彩色の画素か無彩色の画素かの判別を行い、次に、有彩色の画素と判別された場合、カラー、シアン、マゼンタ、イエローと判別された画素数を夫々カウントして、これらのカウント数によって、フルカラー原稿か、このフルカラー原稿より色数の少ない他のカラー原稿か、モノクロ原稿かを判別し、３種類以上の原稿を自動判別できるようにしたものである。
【発明の効果】
【００２４】
以上のように構成された本発明によれば、次に記載するような効果を奏する。
【００２５】
本発明の画像読取装置や画像読取方法によれば、有彩色の画素と判別された場合、カラー、赤、青と判別された画素数や、カラー、シアン、マゼンタ、イエローと判別された画素数を夫々カウントして判別しているので、フルカラー原稿か、このフルカラーより色数の少ない他のカラー原稿か、モノクロ原稿かを、より正確に自動判別することができる。
【００２６】
また、この読取装置を備えた本発明の電子装置によれば、フルカラーより色数の少ない他のカラー原稿と判別された場合、その画像のデータを扱う場合は、画質をほぼ維持しつつ、画像のデータ容量を低減することができ、また、印刷する場合は、カラーインクの使用量や使用数を低減することができる。
【発明を実施するための最良の形態】
【００２７】
最初に、第１実施例について、図１〜図１０に基づき説明する。
【００２８】
この第1実施例のものは、本発明の画像読取装置をイメージスキャナに備えたもので、モノクロ原稿や、カラーである場合は、フルカラー原稿か、赤色と青色と黒色とを使用した赤青黒原稿（フルカラーより色数の少ない他のカラー原稿）かを、自動判別できるものである。ここで赤青黒原稿とは、例えばモノクロ原稿に朱印や、赤又は青のスタンプの押された原稿や、赤又は青ペンで記入してある原稿などである。
【００２９】
図1は本発明の画像読取装置を備えたイメージスキャナの概略を示すブロック図である。１０１はイメージスキャナで、原稿１０２を読取りパーソナルコンピュータ（以下「パソコン」と記す）１０３にデータを送るものである。
【００３０】
１０４は表示器で、パソコン１０３からの画像を表示するものである。１０５は画像読取装置で、原稿を読取って、読取りデータと判別結果とを画像制御部１０６に送るものである。パソコン１０３は入力装置１０７、主記憶装置１０８、出力装置１０９、ハードディスクドライブ等の補助記憶装置１１０、そしてこれらを制御する制御装置としての機能と、演算装置としての機能を合わせ持っている中央処理装置１１１とで構成されている。
【００３１】
そして、画像制御部１０６からの読取りデータや判別結果のデータは、パソコン１０３に送られて、ユーザの操作、又は使用している画像読取りのソフトウェアに従って、中央処理装置１１１によりJPEG（joint Photographic coding Experts Group）画像やTIFF（Tagged Image File Format）画像等に変換されて、補助記憶装置１１０に保存される。またユーザの操作により、表示器１０４に表示させることもできる。
【００３２】
図２は画像読取装置１０５の構成を示すブロック図で、この画像読取装置１０５は、画像読取部２０１、色空間変換部２０２、サンプリング部２０３、原稿判別部２０４を備えている。尚、この原稿判別部２０４が特許請求の範囲の判別装置に相当する。
【００３３】
図３は画像読取装置１０５の画像読取部２０１を示す構成図で、画像読取部２０１はカラーCCD３０１と照明灯３０２とミラー３０３から構成された光学モジュール３０４を備えている。照明灯３０２で光を照射し、読取るための原稿１０２からの反射光を、３枚のミラー３０３を介してカラーCCD３０１で読取り、ＲＧＢの０〜２５５のデジタルデータとして出力する。
【００３４】
図４は図２に示した原稿判別部２０４の概略を示すブロック図である。４０１はカラー判別部で、サンプリングされた画素が有彩色か無彩色かを判別する。４０２はカラーカウンタ部で、有彩色と判別された画素数をカウントするものである。
【００３５】
４０３は赤判別部で、有彩色であると判別された画素のうち赤であるかどうかを判別するものである。４０４は赤カウンタ部で、赤と判別された画素数をカウントするものである。４０５は青判別部で、有彩色であると判別された画素のうち青であるかどうかを判別するものである。４０６は青カウンタ部で、青と判別された画素数をカウントするものである。また、４０７は判別部で、各カウンタ値から原稿の種類を判別するものである。
【００３６】
このように構成された画像読取装置１０５では、次のように動作する。
【００３７】
始めに、画像読取部２０１で読取ったＲＧＢデータを色空間変換部２０２で輝度と彩度に変換する。ここでは輝度Y、彩度Cb，Crに変換している。輝度Yの値は０〜２５５の範囲の中で数字が大きいほど明るいことを示す。彩度Cb，Crの値は０〜２５５の値の中で、Cbが青さ、Crが赤さを表している。Cb，Crどちらの値も１２８（０〜２５５の中心値）のときに無彩色となり、Cbの値は１２８より数値が増えると青みが増し、Crの値は１２８よりも数値が増えると赤みが増すことを表す（図５参照）。
【００３８】
次に、サンプリング部２０３でY，Cb，Crに変換されたデータのサンプリングを行う。ここでは８画素に１画素をサンプリングしているが、サンプリング数は任意である。また、サンプリングは処理を早くするために行うためであり、サンプリングを行わない場合でも本発明の効果に影響はない。
【００３９】
原稿判別部２０４では、サンプリングされた注目画素が有彩色であるか、無彩色であるかの判別をカラー判別部４０１で行う。輝度と彩度に変換された画素データから有彩色か無彩色かを判別する方法を図５〜図７を参照して説明する。サンプリング結果の画素データは原稿判別部２０４に入力されて、原稿の種別（フルカラー原稿／赤青黒原稿／モノクロ原稿）が判別される。画素のもつ彩度Cb，Crの両方の値がそれぞれ設定している上限値と下限値内に入っている場合に無彩色と判別する。カラー判別を行うためのCb，Crの上限、下限の設定値を図５に示している。図５は縦軸がCr、横軸がCbの値を示しておりCr上限値１とCr下限値１、Cb上限値１とCb下限値１で区切られた領域の内部を無彩色領域５０１と判別し、領域の外部を有彩色領域５０２と判別している。
【００４０】
また、輝度領域を複数に分割することで判別の精度を、更に向上させることができる。この場合の例を、図６と図７とに示し、図６は輝度Yと彩度Crの関係、図７は輝度Yと彩度Cbの関係をグラフで示している。一例として、この場合には輝度成分を４つに分割し、それぞれの領域ごとにCb，Crの上限値と下限値を設定することで判別の精度を向上させている。
【００４１】
ここでは図６と図７それぞれで、輝度分割値１、輝度分割値２、輝度分割値３で輝度領域を４つに区切っている。輝度の値が輝度分割値１よりも大きい場合に、図６ではCr上限値１とCr下限値１、図７ではCb上限値１とCb下限値１で無彩色領域６０１を設定している。輝度の値が輝度分割値１よりも小さく、輝度分割値２より大きい場合に、図６ではCr上限値２とCr下限値２、図７ではCb上限値２とCb下限値２で無彩色領域６０１を設定している。輝度の値が輝度分割値２よりも小さく、輝度分割値３より大きい場合には、図６ではCr上限値３とCr下限値３、図７ではCb上限値３とCb下限値３で無彩色領域６０１を設定している。輝度の値が輝度分割値３よりも小さい場合には、図６ではCr上限値４とCr下限値４、図７ではCb上限値４とCb下限値４で無彩色領域６０１を設定している。そして、無彩色領域６０１の外部の領域を有彩色領域６０２と設定している。
【００４２】
図４に示すカラー判別部４０１で有彩色と判別された画素は、カラーカウンタ部４０２と赤判別部４０３と青判別部４０５に入力される。カラーカウンタ部４０２では有彩色であると判別された画素数をカウントする。赤判別部４０３では、有彩色と判別された画素が赤であるかどうかの判別を行う。図８に赤判別領域を示している。有彩色領域であり、かつ、赤判定輝度上限値８０１と、赤判定輝度下限値８０２と、赤判定Cr上限値８０３（赤判定Cb上限値８０５）と、赤判定Cr下限値８０４（赤判定Cb下限値８０６）とで設定された領域（斜線で示された赤判別領域８０７）に注目する画素が入っていた場合、赤の画素として判別する。
【００４３】
尚、赤判別領域８０７の輝度上限値より高い輝度の部分と、輝度下限値よりも低い輝度の部分は赤色の極めて少ない色、例えば濃い茶色や薄いピンク色となるため、これらの色を赤と判別とされないよう除外するために、赤判別領域８０７から除外している。
【００４４】
同様に、青判別部４０５でも、有彩色と判別された画素が青であるかどうかの判別を行う。図９に青判別領域を示している。有彩色領域であり、かつ、注目する画素が青判定輝度上限値９０１と、青判定輝度下限値９０２と、青判定Cr上限値９０３（青判定Cb上限値９０５）と、青判定Cr下限値９０４（青判定Cb下限値８０６）とで設定された領域（斜線で示された青判別領域９０７）に入っていた場合、青の画素と判別する。ここでは赤判別領域と青判別領域は重ならないように設定されている。
【００４５】
そして、赤カウンタ部４０４では赤判別部４０３で赤と判別された画素数をカウントし、青カウンタ部４０６は青判別部４０５で青と判別された画素数をカウントする。
【００４６】
最後に、判別部４０７でカラーカウンタ部４０２と赤カウンタ部４０４と青カウンタ部４０６のカウンタ値から原稿の種類を判別する。この判別部４０７の判別論理を説明するフローチャートを図１０に示す。
【００４７】
始めに、カラー／モノクロ判別を行うステップ（Ｓ１００１）で、カラー原稿かモノクロ原稿かの判別を行う。有彩色と判別された画素数（カラーカウント）がカラー閾値より小さい原稿をモノクロ原稿（無彩色原稿）と判別する（Ｓ１００３）。この処理は、カラーカウンタ部４０２で求めたカラーカウント値から判別できる。尚、カラー判別部４０１で行う各画素の無彩色／有彩色の判別は、図５に示すグラフに基づく判別でも良いが、この実施例では、より精度の高い図６、図７のグラフに基づく判別を行っている。カラーカウント値がカラー閾値よりも大きい場合は、フルカラー／赤青判別のステップ（Ｓ１００２）に移行する。
【００４８】
フルカラー／赤青判別のステップ（Ｓ１００２）では、フルカラー原稿か赤青黒原稿かの判別を行う。カラーカウンタ部４０２で求めたカラーカウント値から、赤カウンタ部４０４、青カウンタ部４０６で夫々求めた赤と青のカウント値を引くことによって、赤青以外のカラーカウントを求め、その値が、赤青閾値よりも小さい場合は赤青黒原稿と判別し（Ｓ１００５）、赤青以外のカラーカウントが赤青閾値よりも大きい場合は、フルカラー原稿と判別する（Ｓ１００４）。
【００４９】
原稿がフルカラー原稿として判別された場合はカラースキャン、例えばJPEG圧縮を行う。また、モノクロ原稿として判別された場合にはモノクロスキャン、例えばモノクロ２値化圧縮を行う。そして、赤青黒原稿として判別された場合には、赤青黒の３色に変換し赤青黒スキャンを行う。
【００５０】
このように構成され、動作する画像読取装置（原稿判別部２０４）や画像読取方法によれば、モノクロ原稿であるか、フルカラー原稿であるか、フルカラーより色数の少ない他のカラーの原稿であるかを自動的に判別することができるので、ユーザが原稿毎に設定を変えるような必要が無く、ユーザの操作を簡易化できるとともに、自動的に原稿に対して最適な画像処理（印刷や保存や表示など）を行うことができる。
【００５１】
そして、このように構成され、動作する画像読取装置を備えたイメージスキャナ１０１によれば、原稿から読取った画像が、モノクロでもフルカラーでもない場合は、フルカラーよりも色数の少ないその他のカラー原稿（赤青黒原稿）と自動的に判別し、この原稿のデータとして保存することができる。このため、画質をほとんど劣化させずにデータ容量を小さくすることができ、パソコン１０３の補助記憶装置１１０の占有容量を低減させることができる。このように、データ容量を小さくすることができるので、カラー画像の送受信可能なファクシミリ装置に適用した場合では、送受信時間の低減に役立つ。
【００５２】
また、読取ったが画素が、輝度Yと彩度Cbとの関係、及び輝度Yと彩度Crとの関係に基づいて有彩色か無彩色かの判別を行い、有彩色と判別された場合、カラー、赤、青と判別された画素数を夫々カウントし、これらのカウント数によってフルカラー原稿か、このフルカラー原稿より色数の少ない他のカラー原稿（この実施例では赤青黒原稿）か、モノクロ原稿かを判別するようにしたので、判別できる原稿に比較的制限が少なく、また、原稿全体（この実施例では８画素に１画素のサンプリング）を対象として画素数をカウントし判別しているので、判別ミスも比較的生じにくく、より正確に判別できる画像読取方法と言える。
【００５３】
また、この第１実施例で説明した赤青黒原稿を判別する場合、赤と青の画素数をカウントしており、光の三原色を考慮した判別としている。このため、特に光を扱う場合、例えば補助記憶装置１１０に保存したデータファイルを表示器１０４に表示させるような場合において、最適な判別方法と考えられる。
【００５４】
また、この第１実施例では、モノクロ原稿、フルカラー原稿、そして赤青黒原稿を判別する場合について説明したが、赤判別部分のみを用いることによって、モノクロ原稿、フルカラー原稿、そして赤黒原稿を判別することもできる。同様に、青判別部のみを用いることによって、モノクロ原稿とフルカラー原稿と青黒原稿を判別できる。また、この他の実施例として、色判別部の設定値を変更することで任意の色を判別し、その色と黒との２色原稿や、それらの２色と黒との３色原稿を判別できるよう応用することもできる。
【００５５】
尚、図５に直線で、図６〜図９に、階段状の直線で領域を区切るようにしているが、これは、領域を分ける方法の一例で、原稿判別部２０４の図示しない演算処理装置の負担が少なくなるような領域の区切りにして、演算処理に時間がかかり過ぎないようにしている。しかし、演算処理の性能や、カラーCCDなどのセンサの特性や、表示器１０４での表示状態や、更に印刷の状態を考慮して、実際の読取りの結果が、より希望の結果に近づくように、領域を曲線や直線、あるいは、より細かい階段状の線や、左右非対称の線で領域を分けても構わない。
【００５６】
次に、第２実施例について、図１１〜図１４に基づき説明する。
【００５７】
この第２実施例のものは、モノクロ原稿と、フルカラー原稿と、その他のカラー原稿としての２色カラー（黒（K）とシアン（C、水色）、黒とマゼンタ（M、赤紫色）、黒とイエロー（Y、黄色））原稿とを自動判別でき印刷する複写機（コピー）である。
【００５８】
つまり、この実施例ではモノクロ原稿であるか、フルカラー原稿であるか、黒とシアンか、黒とマゼンタか、黒とイエローが使用される２色カラー原稿であるかの判別、合計５種類の原稿の判別を自動的に行うことができるものである。
【００５９】
図１１は本発明の画像読取装置を備えた複写機の概略を示すブロック図である。１１０１は複写機で、画像読取装置１１０２や、印刷制御部１１０３を備えている。更に、この印刷制御部１１０３は、制御部１１０４と印刷部１１０５とを備えている。そして、この制御部１１０４は印刷部１１０５や使用インクなどを制御するものであり、印刷部１１０４は、印刷ヘッドや、黒やシアン、マゼンタ、イエローのインクを備えたものである。
【００６０】
印刷制御部１１０３は、画像読取装置１１０２からの読取りデータや判別結果などを受けて印刷するものである。その印刷の際に、印刷制御部１１０３は、判別結果に基づき、印刷モード及び使用インクを選択すると共に、読取りデータに基づいて、選択された印刷モードでの印刷を実行するものである。
【００６１】
尚、シアン、マゼンタ、イエローは、複写機で使用するインクの色と同じで、印刷を考慮したものである。また、この第２実施例の画像読取装置１１０２（図１２参照）は、第１実施例の図２に示す画像読取装置１０５と比較して、その原稿判別部１２０１の内部構成が、図１３に示すように、第１実施例の図４に示すものとやや異なっている。
【００６２】
図１３に示す１３０１はシアン判別部で、有彩色と判別された画素のうちシアンであるかどうかを判別する。１３０３はマゼンタ判別部で、有彩色と判別された画素のうちマゼンタであるかどうかを判別する。１３０５はイエロー判別部で、有彩色と判別された画素のうちイエローであるかどうかを判別する。
【００６３】
また、１３０２はシアンカウンタ部で、シアンと判別された画素数をカウントする。１３０４はマゼンタカウンタ部で、マゼンタと判別された画素数をカウントする。１３０６はイエローカウンタ部で、イエローと判別された画素数をカウントする。１３０７は原稿の種類（フルカラー原稿／シアン黒原稿／マゼンタ黒原稿／イエロー黒原稿／モノクロ原稿）を判別する判別部である。
【００６４】
この図１１〜図１３に示すように構成された第２実施例の場合、カラー判別部４０１で有彩色と判別した画素について、シアン、マゼンタ、イエローそれぞれの判別をシアン判別部１３０１、マゼンタ判別部１３０３、イエロー判別部１３０５で行い、判別の結果に基づいてシアンカウンタ部１３０２、マゼンタカウンタ部１３０４、イエローカウンタ部１３０６のそれぞれのカウンタ部で画素数をカウントする。
【００６５】
そして、カラーカウンタ部４０２、シアンカウンタ部１３０２、マゼンタカウンタ部１３０４、イエローカウンタ部１３０６のそれぞれのカウンタ値を判別部１３０７に入力して原稿の判別を行う。判別部１２０１における原稿の判別論理を説明するフローチャートを図１４に示す。
【００６６】
始めにカラー／モノクロ判別のステップ（Ｓ１４０１）で、カラー原稿かモノクロ原稿かの判別を行う。この判別は、第１実施例と同様に、図５に示すグラフに基づく判別でも良いが、より精度の高い図６、図７のグラフに基づく判別を行っている。カラーカウンタ部４０２で求めたカラーカウント値がカラー閾値よりも大きい場合は、カラー／シアン判別のステップ（Ｓ１４０２）へ移行する。カラーカウント値がカラー閾値よりも小さい場合はモノクロ原稿と判別する（Ｓ１４０５）。
【００６７】
カラー／シアン判別のステップ（Ｓ１４０２）で２色カラー（シアン黒）原稿かこれ以外のカラー原稿かの判別を行う。カラーカウンタ部４０２で求めたカラーカウント値からシアンのカウント値を引くことによってシアン以外のカラーカウントを求め、その値がシアン閾値よりも大きい場合は、カラー／マゼンタ判別のステップ（Ｓ１４０３）へ移行し、シアン以外のカラーカウントがシアン閾値よりも小さい場合は、２色カラー（シアン黒）原稿と判別する（Ｓ１４０６）。
【００６８】
同様に、カラー／マゼンタ判別のステップ（Ｓ１４０３）で２色カラー（マゼンタ黒）原稿かこれ以外のカラー原稿かの判別を行う。カラーカウンタ部４０２で求めたカラーカウント値からマゼンタのカウント値を引くことによってマゼンタ以外のカラーカウントを求め、その値がマゼンタ閾値よりも大きい場合は、フルカラー／イエロー判別のステップ（Ｓ１４０４）へ移行し、マゼンタ以外のカラーカウントがマゼンタ閾値よりも小さい場合は、２色カラー（マゼンタ黒）原稿と判別する（Ｓ１４０７）。
【００６９】
最後に、フルカラー／イエロー判別のステップ（Ｓ１４０４）で２色カラー（イエロー黒）原稿かフルカラー原稿かの判別を行い、カラーカウンタ部４０２で求めたカラーカウント値からイエローのカウント値を引くことによってイエロー以外のカラーカウントを求め、その値がイエロー閾値よりも大きい場合は、フルカラー原稿と判別し（Ｓ１４０９）、イエロー以外のカラーカウントがイエロー閾値よりも小さい場合は、２色カラー（イエロー黒）原稿と判別する（Ｓ１４０８）。
【００７０】
このような画像読取装置や画像判別方法によれば、モノクロ原稿と、フルカラー原稿と、フルカラーより色数の少ない２色カラー原稿（シアン黒原稿、マゼンタ黒原稿、イエロー黒原稿）とを自動的に判別できるので、２色カラー原稿の３種類も判別でき、合計５種類の原稿を自動判別できるものである。
【００７１】
また、このように構成され、動作する画像読取装置や画像読取方法によれば、原稿の種類を自動的に判別することができるので、ユーザの手間を省くことができる。また、この第２実施例の場合は複写機に適用したもののため、第１実施例のイメージスキャナのスキャンの場合のように容量を小さくできるというメリットではなく、フルカラーで印刷しても２色カラーで印刷しても見た目が変わらないような原稿に対して自動的に２色カラーを選択することによって、フルカラーで印刷したときに比べてカラーインクの使用量や種類を抑えることができるというメリットがある。
【００７２】
また、複写機以外の電子装置へ適用する例として、カラー画像を受信できカラーで印刷できるタイプのファクシミリ装置や、カラー印刷機能を備えた複合機などが考えられ、同様な効果を期待できる。
【００７３】
更に、この第２実施例は、２色カラー原稿を判別するために、シアン、マゼンタ、イエローの画素数をカウントしており、色の三原色を考慮した判別としている。このため、色を扱う電子装置、つまりカラー印刷機能を備えた複写機やファクシミリ装置や複合機などに最適な判別方法と考えられる。
【００７４】
この第２実施例では色の三原色を考慮したものであり、また、第１施例では光の三原色を考慮したもので、夫々が最適な実施例と考えられるが、最適とまでは言えないが、この最適に準じた方法として、イメージスキャナや、複写機、ファクシミリ装置などの電子装置に全て同一の画像読取装置を組込んでも構わない。この場合、効果として、量産化によるコストダウンの期待が大きい。
【００７５】
尚、この第２実施例では２色カラー原稿を判別できる例を説明したが、３色のカラー原稿を判別できるよう構成しても構わない。３色のカラー原稿の色としては、例えば、シアンとマゼンタと黒との３色や、シアンとイエローと黒との３色や、マゼンタとイエローと黒との３色が考えられる。
【図面の簡単な説明】
【００７６】
【図１】本発明の第1実施例のイメージスキャナの概略を示すブロック図である。
【図２】同イメージスキャナの画像読取装置の構成を示すブロック図である。
【図３】同イメージスキャナの画像読取装置の画像読取部を示す構成図である。
【図４】同イメージスキャナの画像読取装置の原稿判別部の概略を示すブロック図である。
【図５】同イメージスキャナの原稿判別部の色判別領域（Cb，Cr）を示すグラフである。
【図６】同第１実施例の色判別領域（Y−Cr）を示すグラフである。
【図７】同第１実施例の色判別領域（Y−Cb）を示すグラフである。
【図８】同第１実施例の赤判別領域を示すグラフである。
【図９】同第１実施例の青判別領域を示すグラフである。
【図１０】同第1実施例の原稿判別部の判別論理を説明するフローチャートである。
【図１１】本発明の第２実施例の複写機の概略を示すブロック図である。
【図１２】同複写機の画像読取装置を示すブロック図である。
【図１３】同複写機の画像読取装置の原稿判別部の概略を示すブロック図である。
【図１４】同第２実施例の原稿判別部の判別論理を説明するフローチャートである。
【符号の説明】
【００７７】
１０１    イメージスキャナ
１０２    原稿
１０３    パーソナルコンピュータ（パソコン）
１０４    表示器
１０５    画像読取装置
１１０    補助記憶装置
１１１    中央処理装置
２０１    画像読取部
２０２    色空間変換部
２０３    サンプリング部
２０４    原稿判別部（判別装置）
３０１    カラーCCD
３０２    照明灯
３０３    ミラー
３０４    光学モジュール
４０１    カラー判別部
４０２    カラーカウンタ部
４０３    赤判別部
４０４    赤カウンタ部
４０５    青判別部
４０６        青カウンタ部
４０７    判別部
５０１    無彩色領域
５０２    有彩色領域
６０１    無彩色領域
６０２    有彩色領域
８０７    赤判別領域
９０７    青判別領域
１１０１    複写機
１１０２    画像読取装置
１１０３    印刷制御部
１１０４    制御部
１１０５    印刷部
１２０１    原稿判別部（判別装置）
１３０１    シアン判別部
１３０２    シアンカウンタ部
１３０３    マゼンタ判別部
１３０４    マゼンタカウンタ部
１３０５    イエロー判別部
１３０６    イエローカウンタ部
１３０７    判別部
【図１】
2008153723.tif 000003
【図２】
2008153723.tif 000004
【図３】
2008153723.tif 000005
【図４】
2008153723.tif 000006
【図５】
2008153723.tif 000007
【図６】
2008153723.tif 000008
【図７】
2008153723.tif 000009
【図８】
2008153723.tif 000010
【図９】
2008153723.tif 000011
【図１０】
2008153723.tif 000012
【図１１】
2008153723.tif 000013
【図１２】
2008153723.tif 000014
【図１３】
2008153723.tif 000015
【図１４】
2008153723.tif 000016